(57)【要約】本発明は通信ヘッドセットに関する。ヘッドセットは、スピーカードライバを含むハウジングを具備する。ヘッドセットは、耳道内に挿入するためのノズルをさらに具備する。ノズルはハウジングに連結される。ヘッドセットは、ノズルに連結された防音イヤピースをさらに具備し、イヤピースおよびハウジングは、可聴音の範囲にわたって周囲音から防音する。ヘッドセットは、マイクロホンをさらに具備する。
2006520577.tif 000002
【特許請求の範囲】
【請求項１】
通信ヘッドセットであって、
スピーカードライバを具備するハウジングと、
前記ハウジングに連結され、耳道内に挿入するためのノズルと、
前記ノズルに連結された防音イヤピースであって、前記イヤピースおよび前記ハウジングは、可聴音の範囲にわたって周囲音から少なくとも１５ｄＢ防音するイヤピースと、
マイクロホンと、
を具備する通信ヘッドセット。
【請求項２】
前記イヤピースは、可聴音の範囲にわたって周囲音から１５〜２５ｄＢ防音する請求項１記載の通信ヘッドセット。
【請求項３】
前記イヤピースは、開口、および、耳道に摩擦によって係合するように適合された可撓性のある材料を有する請求項１記載の通信ヘッドセット。
【請求項４】
前記開口は円筒形の剛性チューブを具備し、前記可撓性のある材料は、前記チューブを取り囲む圧縮性発泡体を具備する請求項３記載の通信ヘッドセット。
【請求項５】
前記可撓性のある材料はプラスチックである請求項３記載の通信ヘッドセット。
【請求項６】
前記可撓性のある材料はシリコーンである請求項３記載の通信ヘッドセット。
【請求項７】
前記ハウジングから延在するブームアセンブリをさらに具備し、前記マイクロホンは前記ブームアセンブリに連結される請求項３記載の通信ヘッドセット。
【請求項８】
前記ブームアセンブリは、剛性ブームガイドおよび可撓性のあるブームを具備する請求項７記載の通信ヘッドセット。
【請求項９】
前記ブームアセンブリの長手方向は第１の軸を画成し、前記ノズルの長手方向は第２の軸を画成し、前記第１および第２の軸は交差して、第１の平面に角度を画成する請求項７記載の通信ヘッドセット。
【請求項１０】
第１の角度は約７７度から９７度の間である請求項９記載の通信ヘッドセット。
【請求項１１】
前記第１の角度は約８７度である請求項９記載の通信ヘッドセット。
【請求項１２】
前記ハウジングは、前記第１の平面に直交する第２の平面でユーザの耳に係合する請求項９記載の通信ヘッドセット。
【請求項１３】
前記通信ヘッドセットは、ユーザの左耳またはユーザの右耳のいずれかで使用されるように、対称的である請求項１２記載の通信ヘッドセット。
【請求項１４】
前記第２の平面および前記第２の軸は、約２３度から約４３度の間である第２の角度を画成する請求項１２記載の通信ヘッドセット。
【請求項１５】
前記第２の角度は約３３度である請求項１４記載の通信ヘッドセット。
【請求項１６】
前記ハウジングから延在し第３の軸を画成するケーブルをさらに具備し、前記第１の軸、前記第２の軸および前記第３の軸は同一平面にある請求項９記載の通信ヘッドセット。
【請求項１７】
可撓性のあるイヤサポートをさらに具備する請求項１記載の通信ヘッドセット。
【請求項１８】
前記イヤピースは単に、前記通信ヘッドセットをユーザに支持するだけである請求項３記載の通信ヘッドセット。
【請求項１９】
前記ハウジングから延在するケーブルをさらに具備し、前記ケーブルは前記スピーカードライバへ入力信号を提供し、前記マイクロホンから出力信号を提供する請求項１記載の通信ヘッドセット。
【請求項２０】
前記マイクロホンは前記ケーブルに連結される請求項１９記載の通信ヘッドセット。
【請求項２１】
前記ケーブルは前記イヤピースに共働して、前記通信ヘッドセットをユーザに支持する請求項１９記載の通信ヘッドセット。
【請求項２２】
前記マイクロホンは指向性である請求項１記載の通信ヘッドセット。
【請求項２３】
前記マイクロホンは、カージオイドマイクロホン、双方向性マイクロホン、および、ハイパーカージオイドマイクロホンからなる群から選択される請求項２２記載の通信ヘッドセット。
【請求項２４】
少なくともいくらかの周囲音が、ドライバへ電子的に伝達される請求項１記載の通信ヘッドセット。
【請求項２５】
前記マイクロホンは、前記ドライバ信号から防音され、それによって遠端の話者へのエコーを減少する請求項１記載の通信ヘッドセット。
【請求項２６】
前記可撓性のある材料は、星、インゲン豆、三角形、星形、プロペラおよび文字Ｃからなる群からの形状に形成される請求項３記載の通信ヘッドセット。
【請求項２７】
前記イヤピースは、複数の開口、および、耳道に摩擦によって係合するように適合された可撓性のある材料を具備する請求項１記載の通信ヘッドセット。
【請求項２８】
通信ヘッドセットであって、
長手方向に第１の軸を画成するブームガイドと、
耳道内に挿入するためのノズルであって、その長手方向に第２の軸を画成し、前記第１の軸から傾斜して延在するノズルと、
スピーカードライバを具備するハウジングであって、前記ノズルは前記ハウジングに連結され、前記ハウジングはその長手方向に第３の軸を画成し、前記第１の軸および前記第２の軸は前記第３の軸から傾斜して延在するハウジングと、
前記ノズルに連結された防音イヤピースと、
前記ブームガイドから延在するブームと、
前記ブームに連結された指向性マイクロホンと、
を具備する通信ヘッドセット。
【請求項２９】
前記ハウジングから前記第３の軸の方向に延在するケーブルをさらに具備し、前記ケーブルは前記スピーカードライバへ入力信号を提供し、前記マイクロホンから出力信号を提供する請求項２８記載の通信ヘッドセット。
【請求項３０】
前記ブームは剛性である請求項２８記載の通信ヘッドセット。
【請求項３１】
前記ブームの一部は剛性であり、前記ブームの一部は可撓性である請求項３０記載の通信ヘッドセット。
【請求項３２】
前記第１の軸および前記第２の軸は第１の平面を画成し、前記第１の軸および前記第２の軸は交差して、前記第１の平面に第１の角度を画成する請求項２８記載の通信ヘッドセット。
【請求項３３】
前記第１の角度は約７７度から９７度である請求項３２記載の通信ヘッドセット。
【請求項３４】
前記第１の角度は約８７度である請求項３２記載の通信ヘッドセット。
【請求項３５】
前記ハウジングは、前記第１の平面に直交する第２の平面でユーザの耳に係合する請求項３２記載の通信ヘッドセット。
【請求項３６】
前記通信ヘッドセットは、ユーザの左耳またはユーザの右耳のいずれかで使用されるように、対称的である請求項３５記載の通信ヘッドセット。
【請求項３７】
前記第２の平面および前記第２の軸は、約２３度から約４３度の間である第２の角度を画成する請求項３５記載の通信ヘッドセット。
【請求項３８】
前記第２の角度は約３３度である請求項３７記載の通信ヘッドセット。
【請求項３９】
前記ハウジングから延在し第３の軸を画成するケーブルをさらに具備し、前記第１の軸、前記第２の軸および前記第３の軸は同一平面にある請求項２８記載の通信ヘッドセット。
【請求項４０】
前記イヤピースは、開口、および、耳道に摩擦によって係合するように適合された可撓性のある材料を具備する請求項２８記載の通信ヘッドセット。
【請求項４１】
前記可撓性のある材料はプラスチックである請求項４０記載の通信ヘッドセット。
【請求項４２】
前記可撓性のある材料はシリコーンである請求項４０記載の通信ヘッドセット。
【請求項４３】
前記開口は円筒形の剛性チューブを具備し、前記可撓性のある材料は、前記チューブを取り囲む圧縮性発泡体を具備する請求項４０記載の通信ヘッドセット。
【請求項４３】
前記イヤピースおよび前記ハウジングは、可聴音の範囲にわたって周囲音から少なくとも１５ｄＢ防音する請求項２８記載の通信ヘッドセット。
【請求項４４】
前記イヤピースは、可聴音の範囲にわたって周囲音から１５〜２５ｄＢの範囲防音する請求項４３記載の通信ヘッドセット。
【請求項４５】
可撓性のあるイヤサポートをさらに具備する請求項２８記載の通信ヘッドセット。
【請求項４６】
前記イヤピースは単に、前記通信ヘッドセットをユーザに支持するだけである請求項２８記載の通信ヘッドセット。
【請求項４７】
少なくともいくらかの周囲音が、ドライバへ電子的に伝達される請求項２８記載の通信ヘッドセット。
【請求項４８】
前記マイクロホンは、前記ドライバ信号から防音され、それによって遠端の話者へのエコーを減少する請求項２８記載の通信ヘッドセット。
【請求項４９】
通信ヘッドセットであって、
第１のスピーカードライバを具備する、第１の耳用の第１のハウジングと、
第２のスピーカードライバを具備する、第２の耳用の第２のハウジングと、
前記第１のハウジングに連結され、第１の耳道内に挿入するための第１のノズルと、
前記第２のハウジングに連結され、第２の耳道内に挿入するための第２のノズルと、
前記第１のノズルに連結された防音の第１のイヤピースであって、前記第１のイヤピースおよび前記ハウジングは、可聴音の範囲にわたって周囲音から少なくとも１５ｄＢ防音する第１のイヤピースと、
前記第２のノズルに連結された防音の第２のイヤピースであって、前記第２のイヤピースおよび前記第２のハウジングは、可聴音の範囲にわたって周囲音から少なくとも１５ｄＢ防音する第２のイヤピースと、
マイクロホンと、
を具備する通信ヘッドセット。
【請求項５０】
第１の信号を前記第１のスピーカードライバに操作し第２の信号を前記第２のスピーカードライバに操作して、音が他方の方向からよりも一方の方向から来る感覚を形成するための側性化手段をさらに具備する請求項４９記載の通信ヘッドセット。
【請求項５１】
前記側性化手段は、レベル差の操作をするステップと、位相差の操作をするステップと、両耳間の時間差の操作をするステップと、の少なくとも１つを含む請求項５０記載の通信ヘッドセット。
【発明の詳細な説明】
【技術分野】
【０００１】
本発明は、防音インイヤドライバ付通信ヘッドセットに関し、特に、付属マイクロホン装置付防音イヤホンに関する。
【０００２】
背景技術
騒音の多い環境において携帯電話等の通信システムを使用すると、問題が生じることがよくある。たとえば、このような環境では、ユーザは、遠端の話者、すなわち、電話線の他端にいる人の話をはっきり聞くことができないことがある。信号対雑音比を改善することでユーザの状況は改善されるが、これは、他端にいる人の話を聞いて理解することが容易になり、コミュニケーションが容易になるからである。
【０００３】
バックグランド環境ノイズが言語などであるか非定常的であるかに拘わらず、たとえば懇親会または鉄道の駅であろうと、またはバックグランドノイズがより一定である場合、たとえば自動車、飛行機または機械から発するノイズであろうと、そのような信号対雑音比の改善は望ましい。
【０００４】
携帯電話のユーザの中には、自分の手を使用せずに話しまたは聞くことができる「ハンドフリー」モードで電話を操作することを好む者もいる。一般に、そのようなハンドフリー操作を望むユーザは、標準イヤホンを使用するヘッドセットを使用し、それは一般にユーザの耳を取り囲むか、または、耳の頂部に載置される。普通のイヤホン、たとえば携帯電話にパッケージされていることが多い「小型イヤホン（ｅａｒｂｕｄ）」は、耳の外部に載置される。そのようなヘッドセットは、典型的にマイクロホンを含む。
【０００５】
そのようなヘッドセットは、バックグランドノイズがユーザの耳に入るのを阻止するかまたは打ち消すのにほとんど役に立たない。典型的なヘッドセットまたは小型イヤホンのユーザは、不要なノイズを阻止し会話の他方の端を聞くために、自分の耳の手で覆ったり、または耳により近くにイヤピースを保持したりしなければならない。手を耳に置く過程は、ヘッドセットの「ハンドフリー」という目的を無にする。
【０００６】
さらに、典型的なヘッドセットは、着用が快適ではなく、ユーザの頭部に装着を続けることができないこともある。
【０００７】
システムによっては、能動型ノイズ消去システムでバックグランドノイズに対抗し、不要な音を消去するために、「騒音防止」信号を所望の信号へ加えるように試みている。そのようなシステムは、追加ロジック回路を必要とするため高価であり、動的ノイズ環境の状況では必ずしも効果的ではない。能動型ノイズ消去ヘッドホンは一般に、他のヘッドホンよりも大きく重い。能動型消去プロセスは、複雑なプロセスを通して選択された周波数を打ち消し、結果として得られる音響信号内に不要なアーチファクトを導入することさえある。さらに、このプロセスは電池で駆動され、電池に消費先をさらに加えることになるので、電池のサイズ、重量および消費量が重要である状況では望ましくない。
【０００８】
したがって、この技術分野では、バックグランドノイズを効果的に阻止し、着用が快適であり、かつ、ユーザの頭部に効果的に留めることができるような安価な通信ヘッドセットに対するニーズが存在する。
【０００９】
発明の開示
この技術分野における上述の必要性の１つまたはそれ以上は、開示される通信システムによって満たされる。
【００１０】
第１の実施形態において、通信ヘッドセットが提供される。ヘッドセットは、マイクロホンと、スピーカードライバと、耳道内に挿入するためのノズルと、ノズルに連結された防音イヤピースと、を具備する。イヤピースは、内側円筒形の剛性チューブに取り付けられた外側スリーブから構成される。可撓性のあるスリーブは、耳道に摩擦によって係合し、防音の機能を提供する。イヤピースは、理想的には、スリーブと耳道との間に完全な防音が達成されるときに、１５〜２５ｄＢの防音である。マイクロホンは、スピーカードライバから延在するブームおよびケーブルを経由してシステムに連結される。ケーブルは、スピーカードライバへ入力信号を提供し、マイクロホンから出力信号を提供する。
【００１１】
１つの実施形態において、スリーブは、耳道および内側円筒形の剛性チューブに係合するように形成される圧縮性独立気泡発泡体から構成されてもよい。内側円筒形チューブは、ノズルに摩擦によって係合し、イヤピースをスピーカードライバへ取り付ける。
【００１２】
他の実施形態において、スリーブは、耳道および円筒形チューブである内側部分に係合するように形成される外側部分を備えた可撓性のあるプラスチックまたはシリコーンから構成されてもよい。内側円筒形チューブは、ノズルに摩擦によって係合し、イヤピースをスピーカードライバへ取り付ける。
【００１３】
イヤピースは、様々な形状を取ってもよく、外部ノイズに対して開口通路を提供してもよい。この実施形態において、防音の量は、開口通路のない設計に比較して、意図的に減少される。
【００１４】
通信ヘッドセットは、追加の締結具または取付機構なしで、単にイヤピースによってのみでユーザの頭部に支持されてもよい。
【００１５】
ブームは、剛性的にまたはヒンジ式にケースに連結されてもよい。ブームは、可撓性があっても剛性であってもよい。ケースから延在する可撓性のあるケーブルは、ユニットが左耳または右耳に着用されることができるように、ブームと同一の方向に延在する。
【００１６】
本発明のこれらのおよび他の実施形態の詳細は、添付の図面および下記の説明に述べられている。本発明の他の特徴および利点は、説明および図面から、且つ、特許請求の範囲から明らかになる。
【００１７】
本発明は、一定の部分およびステップで物理的な形態を取ってもよく、その実施形態は、下記の説明に詳細に記載され、本願の一部を構成する添付の図面に例示される。
【００１８】
詳細な説明
図１〜４は、本発明にしたがった通信ヘッドセットの様々な実施形態を示す。図１は、本発明の実施形態にしたがった通信ヘッドセット１０２を示す。ヘッドセットは、ユーザの頭部に装着され、ブーム１０６に連結されたマイクロホン１０４を含む。可撓性のあるケーブル１０８は、ユニットから携帯電話１１０へ延在する。
【００１９】
図２は、本発明にしたがった剛性の非ヒンジ式のブーム２０２付通信ヘッドセットを示す。この実施形態において、ケーブル２０４は、基部２０６から可撓的に且つ固定して延在する。本発明のこの実施形態では、ノズル２０８およびブーム２０２は、ヒトの骨格に相性がよい形状で基部２０６に接続しなければならず、ブーム２０２はマイクロホンをユーザの口に十分近くに置くようにし、且つ、ノズル２０８がユーザの耳道に快適に挿入されるのを可能にするようにする。
【００２０】
図３は、本発明の実施形態にしたがった可撓性のあるヒンジ式のブーム３０２付通信ヘッドセットを示す。図４は、本発明の実施形態にしたがった可撓性のある非ヒンジ式のブーム４０２付通信ヘッドセットを示す。
【００２１】
図５は、本発明の実施形態の詳細を示す。マイクロホンブーム５０２は、一方の端で前部マイクロホンハウジング５０４ａおよび後部マイクロホンハウジング５０４ｂへ取り付けられる。ブーム５０２は、適切な長さであり、ユーザの口に近い端にマイクロホンを位置決めするために調整可能である。ブーム５０２の他方の端は、ブームハウジング５１２に取り付けられる。
【００２２】
マイクロホンカートリッジまたは要素５０６は、この技術分野で公知のように、マイクロホンハウジング内にある。この構成において、指向性マイクロホン要素、たとえば、カージオイド、双方向性（「ノイズキャンセリング」）、または、ハイパーカージオイドの設計が好ましいが、それは、マイクロホンが不要な周囲のノイズを拒絶することができるからである。無指向性マイクロホンを使用することもできる。
【００２３】
ケースは、外側ケースハウジング５０８および内側ケースハウジング５１０によって形成される。ケースは、ブームハウジング５１２をインイヤドライバ５２０へ、この技術分野で公知のように、たとえば、イリノイ州エヴァンストン（Ｅｖａｎｓｔｏｎ，  Ｉｌｌｉｎｏｉｓ）のシュア社（Ｓｈｕｒｅ  Ｉｎｃ．）によって製造されたＥ２Ｃインイヤドライバへ、連結する。
【００２４】
前部退出ケーブル５１４は、ハウジング５１２および外側ケースハウジング５０８からブーム５０２に平行な方向に延在する。具体的には、ケーブル５１４は、ハウジング５１２のリップ５４０およびハウジング５０８のリップ５４２によって形成された開口からの曲げ緩和ユニットから延在する。ケーブル５１４は、ユーザの好みに順応するように様々な形状に曲がることができるように形成され、この例示では、ケーブル５１４がユーザの左耳の外側部分のまわりに延在することができるように、上方に曲げられる。あるいは、ケーブル５１４は、５０８、５１０によって形成されたハウジングを出た後に下方に延在することができ、次いでユニットはユーザの右耳のまわりに延在することができる。
【００２５】
エンドピース５２１はノズル５２２を含み、ケースハウジング５０８、５１０へ連結される。ノズル５２２は、イヤピース５３０内に延在し、それは、ユーザの耳道に摩擦によって係合する。イヤピース５３０は、開口および発泡体スリーブ５３４を形成する剛性プラスチックシリンダ５３２を含む。あるいは、イヤピース５３０は、プラスチックまたはシリコーンの材料から作られ、スリーブ５３４の機能的特徴を有し、これは、耳道に摩擦によって係合し、且つ、シリンダ５３０の機能的特徴を有し、これは、ノズル５２２に摩擦によって係合する。プラグ５５０は、シリンダ５３２内にある。
【００２６】
スリーブ５３４は、圧縮性があり、ユーザの耳道に嵌り摩擦によって係合するように形成される。スリーブは、十分に剛性があり、ヘッドセットアセンブリ全体が、イヤピースがユーザの耳の外側に係合することによって支持され、ユーザの耳の外側に係合する追加のタブ、装具または他の構造物は必要としない。
【００２７】
ユーザの耳内でユニットを支持するためにワイヤ５１４がユーザの耳に係合することは、必要ではない。図５に示されるケーブルは、ユーザの左耳に係合して、ユニットを支持する助けをすることができる。ケーブル５１４は、ケース５１０から延在することもでき、まっすぐ下に低下し、ユーザの外耳に係合しない。その場合、ユーザの耳道にイヤピース５３０が摩擦係合することが、ユニットを適切に支持する。
【００２８】
したがって、インイヤ設計は、追加の耳装具なしで軽量のヘッドセットブーム用に快適な支持を提供することができる。
【００２９】
他の実施形態において、マイクロホンは、ケーブルの長さ方向に沿った点でさらにケーブル５１４に取り付けられる。この「小型マイクロホンスタイル」の配列は、周知のように、既存の携帯電話「小型イヤホン」ぶら下がりマイクロホンヘッドセットに類似する。
【００３０】
図６は、本発明の実施形態に含まれる制御装置および音量アセンブリを構成する構成要素の追加詳細を示す。上部カバー６０２は、下部カバー６０４に連結される。カバーは、様々な機能を実施することができる通信ヘッドセット用の制御装置を収容し、たとえば、音量制御装置６１０および消音制御装置６１２等である。制御装置６１０はポテンショメータであり、制御装置６１２はスライドスイッチである。ポテンショメータは、サムホイール６１４を中心にして回転する。曲げ緩和ユニット６１６および６１８は、上部カバー６０２および下部カバー６０４によって形成される開口から延在する。
【００３１】
図７Ａ、７Ｂ、７Ｃ、７Ｄおよび８は、本発明の他の実施形態の詳細を示す。回転マイクロホンブーム７０２は、前部マイクロホンハウジング７０４ａおよび後部マイクロホンハウジング７０４ｂから形成されたマイクロホンハウジングを含む。カートリッジ７０６は、この技術分野で公知のように、マイクロホンハウジング内にある。
【００３２】
図７Ａに示されるように、マイクロホンリード線７０８、７１０は、ブーム７０２の本体内に延在する。マイクロホンブームハウジングは、外側ブームハウジング７１４と内側ブームハウジング７１６とを含む。内側および外側のブームハウジング７１６、７１４は、旋回ナイロン座金７２０、ステンレス鋼ベルビル（Ｂｅｌｖｉｌｌｅ）座金７２２およびネジ切りフィリップス（Ｐｈｉｌｌｉｐｓ）丸頭７２４用の軸受を収容する。前部退出ケーブル７３０は、前部退出グロメット７３２からユニットから延在する。
【００３３】
インイヤドライバ７４０は、外側ブームハウジング７１６に連結される。ワイヤ（図示せず）は、ドライバの底部７４４の開口７４２でドライバ７４０に入り、これは頂部７４６も含む。端部分７４８および７５０は、シリコーンイヤプラグ７６０の開口内に延在するシリンダまたはノズルを形成する。
【００３４】
ブーム７０２と、ブームハウジング７１４、７１６によって形成されたブームハウジングとは、ブーム７０２がドライバ７４０に対して６０度の範囲にわたって回転することができるように、ドライバ７４０にヒンジ式に係合する。タブ７７０は、ブーム７０２の回転を制御する旋回係止として作用する。
【００３５】
シリコーンイヤプラグ７６０の詳細は、図７ｃに示される。シリコーンイヤプラグ７６０は、特定のユーザに対応する様々な長さに切断することができる。１つの実施形態において、イヤプラグ７６０は、長さが２０ｍｍであり、様々な嵌め合い用に１６．５ｍｍ、１３ｍｍ、９．５ｍｍおよび６ｍｍの長さに切断することができる。
【００３６】
ドライバ７４０は、この技術分野で公知のように、たとえば、イリノイ州エヴァンストンのシュア社が販売のシュアＥ２Ｃドライバ（Ｓｈｕｒｅ  Ｅ２Ｃ  ｄｒｉｖｅｒ）等の内部部品７６４を含む。
【００３７】
図９〜１２は、本発明で使用されるイヤピースの様々な形状を示す。様々な通気式および一部防音イヤピースは、周囲ノイズがユーザの耳道に漏れるのを可能にする。そのような漏れは、周囲に対する異なるユーザの好みに対応し、完全防音が望ましくない環境でシステムが使用されることを可能にする。これらの図面に例示されるように、可能な設計は、スリーブの外部のまわりに小さな通気口および開口チャネルを含む。本発明の様々な実施形態は、星、プロペラ、「Ｃ」、インゲン豆および「星形」等の形状を含む。
【００３８】
さらに、様々な種類の発泡体またはプラスチックをイヤピースのスリーブ部分に使用することができ、たとえば、開放気泡低音響インピーダンス発泡体、独立気泡高音響インピーダンス発泡体、ＰＶＣ、プラスチックまたはシリコーン等である。好適な実施形態において、使用される発泡体は、独立気泡高音響インピーダンス発泡体である。この発泡体は、１５〜２５ｄＢの防音を可能にする。第２の好適な実施形態において、イヤピースのスリーブ部分は、可撓性のあるＰＶＣプラスチックである。このＰＶＣスリーブもまた、１５〜２５ｄＢの防音を可能にする。他の実施形態は、材料の組み合わせを使用して、所望の効果のために防音を１２ｄＢほどの低さに減少してもよい。
【００３９】
そのような品揃えのイヤピースから選択することによって、ユーザは、インイヤイヤホンの嵌め合いを自分の特定の耳に独自のものにすることができ、また、所望の防音のレベルを決定することもできる。スリーブは、ユーザの耳の独特な形状に従う。さらに、特別注文のインイヤ嵌め合いは、典型的な小型イヤホンヘッドセットによってもたらされる痛みを生じる圧点を排除することもでき、ユーザはヘッドセットをより長い時間の間、着用することが可能になる。
【００４０】
図１６は、耳８８４の耳道８８８内のイヤピース８８６の摩擦係合を示す。ハウジング８８０の一部は、当業者にイヤボウル（ｅａｒ  ｂｏｗｌ）と称される耳の一部に載置され、その下側は矢印８８２で示される。図１６において、イヤピース８８６は、ユーザの耳道に完全には挿入されない。
【００４１】
図１７〜２２は、本発明の他の実施形態を示す。図１７に示されるように、本発明は、ハウジング９０２と、ハウジング９０２から延在するノズル９０４と、を含む。イヤピース９０６は、ハウジングに連結され、図１７に示されるノズル９０４の図の大半を隠し、それは、図５に示されるノズル５２２に類似している。ハウジング９０２およびイヤピース９０６は一緒に、可聴音の範囲にわたって周囲音から少なくとも１５ｄＢの防音を提供する。好適な実施形態において、ハウジング９０２およびイヤピース９０６は一緒に、１５〜２５ｄＢの防音を提供する。
【００４２】
ケーブル９０８は、ハウジング９０２から延在し、究極的に携帯電話または他の音響装置に連結される。ケーブル９０８は、歪緩和部分９１０を含む。ブームガイド９１２もまたハウジング９０２に連結される。ブームガイド９１２は、硬い剛性の材料から作ることができる。ブームガイド９１２から、可撓性のあるブーム９１４が延在している。マイクロホンアセンブリ９１６は、ブーム９１４の端に連結される。本発明はまた、ユーザの耳にヘッドセットを支持する可撓性のあるイヤサポート９１８も含む。イヤサポート９１８は、可撓性のあるゴム材料から作られることが好ましい。
【００４３】
図１８に例示されるように、ブームガイド９１２は、その長手方向に、点線９３０によって示されるようにブーム軸を形成する。ノズル９０４は、長手方向に、点線９３２によって示されるようにノズル軸を形成する。ブーム軸およびノズル軸は、同一平面上にあり、図１８を示す紙の平面において９３６で示される角度で交差する。この平面は、図１９および２０に、点線９５０によっても示される。この平面はまた、図２１および２２に示される点線矩形９６０によっても例示される。
【００４４】
図１８を参照すると、角度９３６は、約７７度から約９７度の範囲であり、好ましくは約８７度である。
【００４５】
依然として図１８を参照すると、ヘッドセットは、図１８の紙によって規定された平面から直交して延在する点線９４０によって示される平面に沿ってユーザに載置される。点線９４０によって規定される平面は、図２１の点線矩形９６２によってさらに例示される。具体的には、ハウジング９０２は、ユーザの耳に、当業者にイヤボウルと称される耳の一部に、載置される。図１６に示されるように、ハウジング８８０は、ユーザのイヤボウルに沿って載置され、その下側は矢印８８２で示され、そのすべては、ユーザの耳８８４の一部である。図１６において、イヤピース８８６は、ユーザのイヤボウル内に完全には挿入されない。
【００４６】
図１８を参照すると、第１の平面において、点線９４０によって規定される第１の平面に直交する第２の平面は、線９３２によって示されるノズル軸と角度９３８を形成する。角度９３８は、約２３度から４３度の範囲であり、好ましくは、約３３度である。
【００４７】
ハウジング９０２の長手方向に、軸、すなわちハウジング軸が、点線９４４によって示される。線９４４によって規定される軸が、線９３０によって示されるブーム軸および線９３２によって示されるノズル軸と同一平面上にあるときには、ブーム軸およびノズル軸は、ハウジング軸から傾斜して延在する。ケーブル９０８は、ハウジング９０２から、線９４４によって示されるハウジング軸に平行な方向へ延在する。一定の実施形態において、ハウジングは、長手方向を有さないような形状であってもよい。
【００４８】
ヘッドセットの形状の一定の特徴は、ユーザの左耳または右耳のいずれかに使用されるために、その順応性を高める。具体的には、ノズル９０４、ブームアセンブリ９１２およびケーブル９０８は、図１９および図２０の点線９５０によって、および、図２１および２２に示される点線矩形９６０によって示される平面に、同一平面に延在する。さらに、上述のおよび図２１の線９６０で示される平面は、図２１の点線９６２によって示される平面に直交する。これらの特徴によって、ユーザは、単にイヤサポート９１８をハウジング９０２上に滑らせ、イヤサポート９１８を１８０度反転し、それをハウジング９０２上に戻すことによって、ヘッドセットを左耳または右耳のいずれかに交換可能に着用することが可能になる。図１７に例示されるように、イヤサポート９１８は、９５４で示される開口を含み、イヤサポート９１８がハウジング９０２上を滑り、ユーザの左耳または右耳の操作に対する好みに合うように反転することができるようにする。
【００４９】
一定の図面、たとえば、図２１および２２において、ケーブルの歪緩和部分９１０が例示され、ケーブル９０８の残りの部分は例示されない。図１９を参照すると、ユーザの好みに依存して、ケーブル９０８は、９０８ａに示されるように、線９５０によって規定される平面内に下に延在してもよく、または、ケーブル９０８は、９０８ｂに示されるように、線９５０によって規定される平面から上へ延在してもよい。
【００５０】
前述から明らかであるように、本発明の封鎖された音響路は、携帯電話が最大まで回すことができる音量を有するときに、静かな携帯電話ヘッドセット出力または静かな遠端の話者とともに使用されることを可能にする。これはまた、標準レベルで話す人を聞くのに必要な音量レベルを下げることもできる。さらに、耳道カップリングは、低端のおよび中低の周波数応答を改良し、これは、大半の耳上のヘッドホンに比較して、音声コミュニケーションに重要である。ユニットはまた、増幅力をあまり必要とせず、結果として、より効率的な設計になり、ポータブル電源からあまり電力を引かず、すなわち、電池の消耗が少なくなる。
【００５１】
防音設計はまた、スリーブによって提供された自然な音の減衰をもたらし、うるさい環境で聞く音量を下げることを可能にする。これは、聴覚疲労および永久的なまたは半永久的な聴覚障害を排除するが、これは、ユーザが、外部「流出」を補うために音量を上げる必要がないからである。これはまた、振幅の増加に応じた信号の歪みの増加が少ないことを意味する。
【００５２】
本発明は、一方の耳のイヤピースによって減衰されている外部の周囲音を他方の耳で聞くことが望ましいコミュニケーション用途にも適用可能である。オンラインゲーム等の使用において、ユーザは、会話を行うためにヘッドセットを使用してもよいが、同時に、開放されたブロックされていない耳で、プレイされているゲーム環境効果音を聞きたいと思うこともある。本発明によってユーザはゲームプレイの音響効果を聞くことができ、さらにコミュニケーションを改良する。イヤピースは、一方の耳におけるゲームプレイ音響効果を減衰することによって遠端の話者をより聞き取り易くし、マイクロホンは、指向性マイクロホン要素を使用することによってゲームプレイ音響効果を拒絶することによって近端の話者をより聞き取り易くする。
【００５３】
本発明の別の実施形態は、電子的に投入された、調整可能な環境を含む。そのような実施形態は、小型埋込式マイクロホンを使用し、イヤピースによってユーザの耳へ届けられる音へ調整可能なレベルで局所環境音を加えることによって、所望の量の周囲ノイズ／漏れを選択することができる。
【００５４】
本発明は、完全な防音が望ましいコミュニケーション用途のために２イヤピース選択も含むことができる。そのような実施形態において、イヤピースは、両方の耳道内に挿入される。そのような用途は、高ノイズ環境で、または、たとえば、マルチメディア装置等でステレオを聴くことが望ましい環境で、聴覚保存のために望ましいこともある。
【００５５】
２イヤピース構成において、本発明は、左耳用および右耳用の信号の間のレベル差、信号位相差（〜１８０度）、または、時間遅延（両耳間の時間差（interaural time difference：ＩＴＤ）１００ミリ秒未満）によって呈されている音の側性化（lateralization）を達成する（音が他方からよりも一方から来ているという感覚をユーザに与える）。この側性化を、コミュニケーション用途に使用することができ、遠端の話者の信号が右耳から多く来るかまたは左耳から多く来るという感覚を形成し、依然として両イヤピースの使用を可能にする。これはまた、個々の耳のいずれかでより高い信号レベルを実際に使用することなく、信号の知覚した音量をどこでも１．４倍から２倍上げる。
【００５６】
本発明は、耳道のスピーカ位置によってマイクロホンからスピーカが防音されるため、マイクロホンとイヤピースとの間の音響的エコーを減少するのを可能にする。
【００５７】
あるいは、能動型ノイズ消去システムとともにインイヤドライバ技術を使用して、非常に過酷な用途のために両方のシステムの利益を享受することができる。
【００５８】
システムは、様々なワイヤレス用途にも使用することができる。たとえば、ヘッドセットは電話のハンドセットとワイヤレスに通信することができ、または、電話通信用の電子機器はハウジング内に含まれてもよい。そのような用途では、図１７または１８のケーブル９０８等のマイクロホンケーブルは必要がない。
【００５９】
以上のように、本願では通信ヘッドセットが提供される。したがって、本発明は、様々な図面に示される形態に体現される。本発明の要旨を維持しながら、多数の変形例が可能である。そのような変形例は、本発明の一部として企図される。
【図面の簡単な説明】
【００６０】
【図１】本発明の実施形態にしたがった通信ヘッドセットの図である。
【図２】本発明の実施形態にしたがった剛性の非ヒンジ式のブームを備えた通信ヘッドセットの図である。
【図３】本発明の実施形態にしたがった可撓性のあるヒンジ式のブームを備えた通信ヘッドセットの図である。
【図４】本発明の実施形態にしたがった可撓性のある非ヒンジ式のブームを備えた通信ヘッドセットの図である。
【図５】本発明の実施形態を構成する構成要素の詳細図である。
【図６】本発明の実施形態に含まれることができる制御装置および音量アセンブリを構成する構成要素の詳細図である。
【図７】本発明の実施形態を構成する構成要素の詳細図である。
【図８】図７の実施形態の図である。
【図９】本発明の様々な実施形態にしたがった他のイヤピース装置の図である。
【図１０】本発明の様々な実施形態にしたがった他のイヤピース装置の図である。
【図１１】本発明の様々な実施形態にしたがった他のイヤピース装置の図である。
【図１２】本発明の様々な実施形態にしたがった他のイヤピース装置の図である。
【図１３】ユーザの耳に連結される本発明の実施形態の一部の追加詳細図である。
【図１４】ユーザの耳に連結される本発明の実施形態の一部の追加詳細図である。
【図１５】ユーザの耳に連結される本発明の実施形態の一部の詳細の追加詳細図である。
【図１６】本発明の実施形態を構成する構成要素の、ユーザの耳道との係合を示す図である。
【図１７】本発明の他の実施形態の図である。
【図１８】図１７に示された実施形態の上から見た斜視図である。
【図１９】図１７に示された実施形態の側面図である。
【図２０】図１７に示された実施形態の端面図である。
【図２１】交差平面を備えた図１７の実施形態の図である。
【図２２】図２１に示された実施形態の他の図である。
【図１】
2006520577.tif 000003
【図２】
2006520577.tif 000004
【図３】
2006520577.tif 000005
【図４】
2006520577.tif 000006
【図５】
2006520577.tif 000007
【図６】
2006520577.tif 000008
2006520577.tif 000009
2006520577.tif 000010
【図８】
2006520577.tif 000011
【図９】
2006520577.tif 000012
【図１０】
2006520577.tif 000013
【図１１】
2006520577.tif 000014
【図１２】
2006520577.tif 000015
【図１３】
2006520577.tif 000016
【図１４】
2006520577.tif 000017
【図１５】
2006520577.tif 000018
【図１６】
2006520577.tif 000019
【図１７】
2006520577.tif 000020
【図１８】
2006520577.tif 000021
【図１９】
2006520577.tif 000022
【図２０】
2006520577.tif 000023
【図２１】
2006520577.tif 000024
【図２２】
2006520577.tif 000025
【国際調査報告】
2006520577.tif 000026